(57)【要約】【課題】データを蓄積できる制御ユニットの蓄積データをアンテナによってデータロガに電波送信するデータ蓄積伝送装置に関し、制御ユニットの構成を大きく改変することなく、電波出力の調整を実現できる技術の提供。【解決手段】データを蓄積できる制御ユニット１１と、この制御ユニット１１の蓄積データを電波送信するためのアンテナ１２と、このアンテナ１２を覆うための電波遮蔽性のカバー１４を移動して開閉する遮蔽機構１３と、この遮蔽機構１３の駆動を制御する遮蔽機構制御部１６と、データロガ２０から無線送信されたデータ出力指令を受信するトリガー信号受信器１７とを具備し、データ出力指令の受信強度に応じてカバー１４の閉位置からの移動量を調整するデータ蓄積伝送装置１０、データロガ２０、データ伝送システム、電波出力調整ユニットを提供する。【選択図】図１
2011087084.tif 000002
【特許請求の範囲】
【請求項１】
データ入力部及び該データ入力部から入力されたデータを蓄積するデータ蓄積部を具備する制御ユニットと、
この制御ユニットによって駆動制御されて前記データ蓄積部の蓄積データを電波信号としてデータロガに伝送するアンテナと、
このアンテナを覆うための電波遮蔽性のカバー及び該カバーを移動して開閉させるカバー移動装置を有する遮蔽機構と、
この遮蔽機構の前記カバー移動機構の駆動を制御する遮蔽機構制御部と、
前記データロガから無線送信されたデータ出力指令を受信するためのトリガー信号受信器とを具備し、
前記遮蔽機構制御部は、前記トリガー信号受信器にて受信した前記データ出力指令の受信強度に応じて、前記データロガでの前記蓄積データの受信強度が予め設定しておいた範囲内あるいは設定値となるように、前記遮蔽機構の前記カバーの前記アンテナ全体を覆う閉位置からの移動量を算出し、前記カバーの位置が算出した前記移動量となるように前記遮蔽機構の前記カバー移動装置の駆動を制御することを特徴とするデータ蓄積伝送装置。
【請求項２】
前記データ蓄積部の蓄積データのデータロガへの無線伝送の完了後に、前記遮蔽機構が前記前記遮蔽機構制御部からの制御によって、前記カバーを前記閉位置に位置させるようになっていることを特徴とする請求項１記載のデータ蓄積伝送装置。
【請求項３】
前記制御ユニットは前記遮蔽機構制御部を接続するための接続端子を具備しており、前記遮蔽機構制御部が前記制御ユニットに対して後付け可能になっていることをことを特徴とする請求項１又は２記載のデータ蓄積伝送装置。
【請求項４】
前記遮蔽機構制御部は、前記データ出力指令の入力後にデータロガから送信され前記アンテナにて受信した電波信号の受信強度に応じて、前記データロガでの前記蓄積データの受信強度が予め設定しておいた範囲内あるいは設定値となるように、前記遮蔽機構の前記カバーの前記アンテナ全体を覆う閉位置からの移動量を算出し、前記カバーの位置が算出した前記移動量となるように前記遮蔽機構の前記カバー移動装置の駆動を制御する機能を有することを特徴とする請求項１〜３のいずれかに記載のデータ蓄積伝送装置。
【請求項５】
前記データ入力部に、センサ、計数装置、画像情報あるいは動画情報を取得するためのカメラ、記録媒体からの情報読み取り装置、のいずれかであるデータ取得用機器が接続されていることを特徴とする請求項１〜４のいずれかに記載のデータ蓄積伝送装置。
【請求項６】
前記データ蓄積伝送装置が、動物を検出するためのセンサを具備するものであることを特徴とする請求項５記載のデータ蓄積伝送装置。
【請求項７】
請求項１〜６のいずれかに記載のデータ蓄積伝送装置に前記データ出力信号を無線送信するためのトリガー信号送信器と、前記データ蓄積伝送装置のアンテナから伝送される蓄積データを受信するためのアンテナとを具備することを特徴とするデータロガ。
【請求項８】
前記データ蓄積伝送装置のアンテナから電波送信される蓄積データを受信するためのアンテナを具備し該アンテナにて受信した蓄積データを蓄積するデータロガ本体と、このデータロガ本体とは別体に構成され前記トリガー信号送信器が設けられたトリガー信号出力送信機とを具備し、
前記トリガー信号出力送信機は、前記トリガー信号送信器と、該トリガー信号送信器の駆動を制御してこのトリガー信号送信器からデータ出力指令を出力させるためのトリガー信号送信部と、このトリガー信号送信部に指令出力信号を入力するための操作部とを具備することを特徴とする請求項７記載のデータロガ。
【請求項９】
請求項１〜６のいずれかに記載のデータ蓄積伝送装置と、請求項７又は８記載のデータロガとを具備して構成されたことを特徴とするデータ伝送システム。
【請求項１０】
データ入力部及び該データ入力部から入力されたデータを蓄積するデータ蓄積部を具備する制御ユニットと、この制御ユニットによって駆動制御されて前記データ蓄積部の蓄積データを電波信号としてデータロガに伝送するアンテナとを具備するデータ蓄積伝送ユニットに取り付けられる電波出力調整ユニットであって、
前記アンテナを覆うための電波遮蔽性のカバー及び該カバーを移動して開閉させるカバー移動装置を有する遮蔽機構と、
この遮蔽機構の前記カバー移動機構の駆動を制御する遮蔽機構制御部と、
前記データロガから無線送信されたデータ出力指令を受信するためのトリガー信号受信器とを具備し、
前記遮蔽機構制御部は、前記トリガー信号受信器にて受信した前記データ出力指令の受信強度に応じて、前記データロガでの前記蓄積データの受信強度が予め設定しておいた範囲内あるいは設定値となるように、前記遮蔽機構の前記カバーの前記アンテナ全体を覆う閉位置からの移動量を算出し、前記カバーの位置が算出した前記移動量となるように前記遮蔽機構の前記カバー移動装置の駆動を制御することを特徴とする電波出力調整ユニット。
【請求項１１】
前記遮蔽機構制御部は、該遮蔽機構制御部に設けられている接続端子と、前記制御ユニットに設けられている接続端子との接続によって、前記制御ユニットに対して相互に信号伝送可能に接続可能であることを特徴とする請求項１０記載の電波出力調整ユニット。
【発明の詳細な説明】
【技術分野】
【０００１】
本発明は、データ入力部と、該データ入力部から入力されたデータを蓄積するデータ蓄積部と、データ蓄積部の蓄積データを電波信号としてデータロガに伝送するアンテナとを具備するデータ蓄積伝送装置、データロガ、データ伝送システム、電波出力調整ユニットに関する。
【背景技術】
【０００２】
例えば、建物における入室者認証装置、建物への不審者侵入や防災用の各種監視装置（定点観察用の監視カメラやセンシング装置等）、工場における各種設備の稼働管理用センサ（計器）といった、定点設置形の機器にあっては、センサやカメラ等であるデータ取得用機器に、データ取得用機器が取得したデータを蓄積し蓄積データをデータ伝送系を介してデータ管理用機器やデータロガ等の管理用補助機器に送信するためのデータ蓄積伝送ユニットを接続した構成のもの（以下、データ取得蓄積装置とも言う）が多く存在する。データ蓄積伝送ユニットに蓄積されたデータのデータ管理用機器やデータロガへの伝送技術は、従来、有線伝送系にデータ蓄積伝送ユニットを接続する方式が主流であったが、近年、ＩＴ技術の発展により無線伝送系の利用が急速に普及しつつある。
【０００３】
しかしながら、情報機器間のデータ伝送に無線伝送系によるデータ伝送が多用される近年の状況においては、ひとつのエリアに同一周波数帯域の複数の通信が存在する状況が発生しやすく、輻輳による電波の干渉、混信等の不都合を解消あるいは緩和するための技術の重要性が増してきている。例えば、建物内に上述のデータ取得蓄積装置のデータ蓄積伝送ユニット以外に無線伝送系を利用する情報機器が複数ある場合、無線伝送系の輻輳により、データ取得蓄積装置とデータロガとの間の無線伝送系が他の無線伝送系の通信に影響を与えたり、データ取得蓄積装置からデータロガへのデータの取り込みに支障が生じる可能性がある。
【０００４】
前記データ取得蓄積装置の具体例として、データ取得用機器として、虫体計数装置を搭載した捕虫器（捕虫装置）、昆虫の生息状態を把握するための昆虫検出装置（昆虫捕捉機能を持たず、接触あるいは非接触で昆虫を検出する検出装置）を採用し、このデータ取得用機器にデータ蓄積伝送ユニットを接続したものを挙げることができる。ここで例示した捕虫器（捕虫装置）や昆虫検出装置といった装置は、ＰＣＯ（Pest Control Operator:有害生物防除技術者）による殺虫剤等の薬剤使用量、使用時期、使用場所等の判断支援に用いられるものであり、以下、ＰＣＯ用データ取得機器とも言う。ＰＣＯ用データ取得機器としては、例えば鼠等、伝染病のベクタとなり得る動物（但し、本明細書において「動物」は昆虫も含む）を検出するためのセンサ類もある。近年、害虫や鼠等の防除作業は薬剤使用を極限まで抑える方式で実施することが一般的であり、このような少量薬剤での効果的な作業を実現するためには、駆除対象の生物の生息動態を時系列に把握し、薬剤使用量、使用時期、使用場所を決める必要がある。ＰＣＯ用データ取得機器は、駆除対象となる生物の生息動態の把握等に活用される。
【０００５】
例えば特許文献１の捕虫器は、誘虫灯によって筐体（外箱）内に誘引した飛翔性の虫を筐体内に充満させた揮発性除虫剤のガスに接触させ、これにより落下した虫の数を誘虫灯の下方に設置した虫体計数装置によって計数する。このような捕虫器に、虫体計数装置の計数データを蓄積するデータ蓄積部、データ出力用の出力部を具備するデータ蓄積伝送ユニットを接続してデータ取得蓄積装置を構成することで、捕虫器からデータ管理用装置へのデータの取り込み効率良く行える。データ管理用装置にてデータを一括管理して、駆除作業の支援データとして有効に活用できる。また、ＰＣＯ用データ取得機器を一般的な有線伝送系に接続して、データ管理することも実務として行われている。
【０００６】
例えば、ゴキブリや鼠の生息動態を把握するためのＰＣＯ用データ取得機器を建物に設置する場合、その設置場所の選択は重要であり、ゴキブリや鼠の移動経路に対応して床下、天井裏等の狭隘なスペース内となるケースも多く発生する。このため、ＰＣＯ用データ取得機器を一般的な有線伝送系に接続するデータ伝送方式では、伝送系を構成するケーブルの布設等に手間が掛かり、コストも高く付く傾向がある。また、ＰＣＯ用データ取得機器の設置場所の変更も容易で無い。
無線伝送系の利用は、有線伝送系のような布設工事が不要であり、ＰＣＯ用データ取得機器の設置場所の変更にも柔軟に対応できる等、利便性が高い。しかしながら、無線伝送系を採用した場合、建物内に無線伝送系が複数存在する場合、無線伝送系同士の輻輳が問題となってくる。
【先行技術文献】
【特許文献】
【０００７】
【特許文献１】特開２００１−９５４５５号公報
【発明の概要】
【発明が解決しようとする課題】
【０００８】
多数の無線伝送系の輻輳対策の技術としてはＣＤＭＡ（符号分割多元接続。ＣＤＭＡ:Code Division Multiple Access）等の多元接続技術も進展している。
このＣＤＭＡ方式の多元接続では、基地局から送信局に対して電波出力の調整指令を無線出力して、送信局側の出力過剰や出力不足を是正して通信可能な局数を出来るだけ多く確保するパワーコントロールの手法も知られており、これをデータ取得蓄積装置のデータ蓄積伝送ユニットからデータロガへの無線伝送系によるデータ伝送に応用したもの（データ伝送システム）もある。
図６にその概要を示す。
【０００９】
図６において、このデータ伝送システムは、建物内等の目的の設置位置に設置されたデータ取得蓄積装置１１０のデータ蓄積伝送ユニット１１２と、作業者が携帯するデータロガ１２０とで構成されている。
データ取得蓄積装置１１０は、センサ等であるデータ取得用機器１１１と、該データ取得用機器１１１が取得したデータを蓄積しデータロガ１２０に無線送信するデータ蓄積伝送ユニット１１２とを、信号線あるいはコネクタを介して電気的に接続した構成になっている。データ蓄積伝送ユニット１１２は、データ取得用機器１１１が取得したデータを蓄積するデータ蓄積部１１３を有する制御ユニット１１４と、データロガ１２０との電波信号の送受信用のアンテナ１１５とを具備する。アンテナ１１５はデータ取得蓄積装置１１０のデータ出力部としての機能を果たす。
前記制御ユニット１１４は、前記データ蓄積部１１３と、前記アンテナ１１５から前記データロガ１２０への電波信号の出力及びアンテナ１１５の受信信号の取り込み（入力）のための送受信部１１６と、前記データ蓄積部１１３及び前記送受信部１１６の駆動を制御する指令出力部１１７（ＣＰＵ）とを具備している。
【００１０】
データロガ１２０は、データ蓄積伝送ユニット１１２との電波信号の送受信用のアンテナ１２１と、データ出力指令を出力させるための操作部１２２とを具備している。また、データ蓄積伝送ユニット１１２から取り込んだデータの保存用のメモリを内蔵している。
【００１１】
データ蓄積伝送ユニット１１２の制御ユニット１１４（詳細にはデータ蓄積部１１３）の蓄積データを制御ユニット１１４からデータロガ１２０に取り込むには、まず、データロガ１２０からデータ蓄積伝送ユニット１１２にデータ出力指令（電波信号）を送信する。データ蓄積伝送ユニット１１２は、データロガ１２０からのデータ出力指令に基づいて指令出力部１１７が駆動して、データ蓄積部１１３の蓄積データをアンテナ１１５からデータロガ１２０に送信する。但し、データ蓄積伝送ユニット１１２は、制御ユニット１１４の指令出力部１１７が、アンテナ１１５におけるデータ出力指令の受信強度に応じて、アンテナ１１５から送信された電波信号のデータロガ１２０での受信強度が予め設定しておいたレベルとなるように、アンテナ１１５から蓄積データを送信する電波出力を決定するようになっている。
【００１２】
データロガ１２０は、データ蓄積伝送ユニット１１２から出力された電波信号の該データロガ１２０における受信強度を計測する機能を具備し、受信強度の計測値をアンテナ１２１から電波信号としてデータ蓄積伝送ユニット１１２に無線送信する。データ蓄積伝送ユニット１１２は、データロガ１２０から送信された受信強度の計測値を受信することで、この計測値に基づいて、データロガ１２０での受信強度が予め設定しておいたレベルとなるように、アンテナ１１５から蓄積データを送信する電波出力レベルを調整する。
データロガ１２０からデータ蓄積伝送ユニット１１２への受信強度の計測値の送信、及び、この計測値に基づくデータ蓄積伝送ユニット１１２のアンテナ１１５からの電波出力レベルの調整は、データ蓄積伝送ユニット１１２からデータロガ１２０への蓄積データの送信開始から送信完了まで継続的になされる。
【００１３】
ところで、データロガへのデータ伝送を無線伝送系によって行うタイプのデータ蓄積伝送ユニットを具備するデータ取得蓄積装置としては、上述のパワーコントロールの機能を具備していないデータ蓄積伝送ユニットを採用したもの（以下、パワー調整無し伝送ユニットとも言う）も多数存在する。このパワー調整無し伝送ユニットは、データロガからのデータ出力指令に基づいて蓄積データをアンテナからデータロガに送信できるように構成されているが、アンテナにおける電波の受信レベル（強度）に応じてデータロガへの蓄積データの送信のための電波出力を調整する機能を具備していない。アンテナからの電波出力は一定である。このため、データ蓄積、アンテナからの出力制御を行う制御ユニットとして、図６に例示したデータ取得蓄積装置１１０のデータ蓄積伝送ユニット１１２の制御ユニット１１４に比べて構成が単純なものが使用される。
【００１４】
上述のパワー調整無し伝送ユニットをパワーコントロール機能を持つ構成に改変することは難しい。すなわち、図６に例示したデータ伝送システムでは、データ取得蓄積装置１１０のデータ蓄積伝送ユニット１１２は、アンテナ１１５における電波の受信レベル（強度）に応じて、データロガ１２０への蓄積データの送信のための電波出力を決定し、この決定した電波出力でアンテナ１１３からのデータ送信を行う機能が必要となる。このため、パワー調整無し伝送ユニットをパワーコントロール機能を持つ構成に改変するには、このパワー調整無し伝送ユニットの制御ユニットの構成を大きく改変する必要があり、労力とコストが膨大であり、改変を行えないケースも多い。特に既存のデータ取得蓄積装置のパワー調整無し伝送ユニットについては、データ蓄積伝送ユニット全体の交換で対処せざるを得ないことが実情である。
【００１５】
なお、上述の問題は、センサやカメラ等であるデータ取得用機器と接続されたパワー調整無し伝送ユニットに限定されない。例えば、磁気ディスク、光ディスク、ＩＣメモリ等の記録媒体の読み取り装置（データ取得用機器）と接続したデータ蓄積伝送ユニットや、パソコンや携帯形通信機器等の情報機器と接続され該情報機器にて作成されたデータ（文書データ、画像データ、動画データ等）を蓄積するデータ蓄積伝送ユニット等（但し、パワー調整無し伝送ユニット）についても同様に発生する。
【００１６】
本発明は、前記課題に鑑みて、データ入力部から入力されたデータを蓄積できる制御ユニットの蓄積データをアンテナによってデータロガに電波送信するデータ蓄積伝送装置に関し、制御ユニットがアンテナからの電波出力のパワーコントロール機能を有していない構成であっても、制御ユニットの構成を大きく改変することなく電波出力の調整を実現できるデータ蓄積伝送装置、データロガ、データ伝送システム、電波出力調整ユニットの提供を目的としている。
【課題を解決するための手段】
【００１７】
上記課題を解決するために、本発明では以下の構成を提供する。
第１の発明は、データ入力部及び該データ入力部から入力されたデータを蓄積するデータ蓄積部を具備する制御ユニットと、この制御ユニットによって駆動制御されて前記データ蓄積部の蓄積データを電波信号としてデータロガに伝送するアンテナと、このアンテナを覆うための電波遮蔽性のカバー及び該カバーを移動して開閉させるカバー移動装置を有する遮蔽機構と、この遮蔽機構の前記カバー移動機構の駆動を制御する遮蔽機構制御部と、前記データロガから無線送信されたデータ出力指令を受信するためのトリガー信号受信器とを具備し、前記遮蔽機構制御部は、前記トリガー信号受信器にて受信した前記データ出力指令の受信強度に応じて、前記データロガでの前記蓄積データの受信強度が予め設定しておいた範囲内あるいは設定値となるように、前記遮蔽機構の前記カバーの前記アンテナ全体を覆う閉位置からの移動量を算出し、前記カバーの位置が算出した前記移動量となるように前記遮蔽機構の前記カバー移動装置の駆動を制御することを特徴とするデータ蓄積伝送装置を提供する。
第２の発明は、前記データ蓄積部の蓄積データのデータロガへの無線伝送の完了後に、前記遮蔽機構が前記前記遮蔽機構制御部からの制御によって、前記カバーを前記閉位置に位置させるようになっていることを特徴とする第１の発明のデータ蓄積伝送装置を提供する。
第３の発明は、前記制御ユニットは前記遮蔽機構制御部を接続するための接続端子を具備しており、前記遮蔽機構制御部が前記制御ユニットに対して後付け可能になっていることをことを特徴とする第１又は第２の発明のデータ蓄積伝送装置を提供する。
第４の発明は、前記遮蔽機構制御部は、前記データ出力指令の入力後にデータロガから送信され前記アンテナにて受信した電波信号の受信強度に応じて、前記データロガでの前記蓄積データの受信強度が予め設定しておいた範囲内あるいは設定値となるように、前記遮蔽機構の前記カバーの前記アンテナ全体を覆う閉位置からの移動量を算出し、前記カバーの位置が算出した前記移動量となるように前記遮蔽機構の前記カバー移動装置の駆動を制御する機能を有することを特徴とする第１〜３のいずれかの発明のデータ蓄積伝送装置を提供する。
第５の発明は、前記データ入力部に、センサ、計数装置、画像情報あるいは動画情報を取得するためのカメラ、記録媒体からの情報読み取り装置、のいずれかであるデータ取得用機器が接続されていることを特徴とする第１〜４のいずれかの発明のデータ蓄積伝送装置を提供する。
第６の発明は、前記データ蓄積伝送装置が、昆虫あるいは動物を検出するためのセンサを具備するものであることを特徴とする第５の発明のデータ蓄積伝送装置を提供する。
第７の発明は、第１〜６のいずれかの発明のデータ蓄積伝送装置に前記データ出力信号を無線送信するためのトリガー信号送信器と、前記データ蓄積伝送装置のアンテナから伝送される蓄積データを受信するためのアンテナとを具備することを特徴とするデータロガを提供する。
第８の発明は、前記データ蓄積伝送装置のアンテナから電波送信される蓄積データを受信するためのアンテナを具備し該アンテナにて受信した蓄積データを蓄積するデータロガ本体と、このデータロガ本体とは別体に構成され前記トリガー信号送信器が設けられたトリガー信号出力送信機とを具備し、前記トリガー信号出力送信機は、前記トリガー信号送信器と、該トリガー信号送信器の駆動を制御してこのトリガー信号送信器からデータ出力指令を出力させるためのトリガー信号送信部と、このトリガー信号送信部に指令出力信号を入力するための操作部とを具備することを特徴とする第６の発明のデータロガを提供する。
第９の発明は、第１〜６のいずれかの発明のデータ蓄積伝送装置と、第７又は第８の発明のデータロガとを具備して構成されたことを特徴とするデータ伝送システムを提供する。
第１０の発明は、データ入力部及び該データ入力部から入力されたデータを蓄積するデータ蓄積部を具備する制御ユニットと、この制御ユニットによって駆動制御されて前記データ蓄積部の蓄積データを電波信号としてデータロガに伝送するアンテナとを具備するデータ蓄積伝送ユニットに取り付けられる電波出力調整ユニットであって、前記アンテナを覆うための電波遮蔽性のカバー及び該カバーを移動して開閉させるカバー移動装置を有する遮蔽機構と、この遮蔽機構の前記カバー移動機構の駆動を制御する遮蔽機構制御部と、前記データロガから無線送信されたデータ出力指令を受信するためのトリガー信号受信器とを具備し、前記遮蔽機構制御部は、前記トリガー信号受信器にて受信した前記データ出力指令の受信強度に応じて、前記データロガでの前記蓄積データの受信強度が予め設定しておいた範囲内あるいは設定値となるように、前記遮蔽機構の前記カバーの前記アンテナ全体を覆う閉位置からの移動量を算出し、前記カバーの位置が算出した前記移動量となるように前記遮蔽機構の前記カバー移動装置の駆動を制御することを特徴とする電波出力調整ユニットを提供する。
第１１の発明は、前記遮蔽機構制御部は、該遮蔽機構制御部に設けられている接続端子と、前記制御ユニットに設けられている接続端子との接続によって、前記制御ユニットに対して相互に信号伝送可能に接続可能であることを特徴とする第１０の発明の電波出力調整ユニットを提供する。
【００１８】
本発明によれば、データ蓄積伝送装置がデータロガから無線送信されたデータ出力指令をトリガー信号受信器で受信し、制御ユニットに蓄積されているデータをデータロガに送信する際に、遮蔽機構制御部によって遮蔽機構のカバー移動機構の駆動が制御されることで、遮蔽機構のカバーがアンテナ全体を覆う閉位置からずれた位置に配置され、制御ユニットに蓄積されているデータのアンテナ（データ蓄積伝送装置のアンテナ）からデータロガへの電波送信が可能な状態となる。
【００１９】
遮蔽機構制御部による遮蔽機構のカバー移動装置の駆動制御は、トリガー信号受信器にて受信した前記データ出力指令の受信強度に応じて、前記データロガでの前記蓄積データの受信強度が予め設定しておいた範囲内あるいは設定値となるように、遮蔽機構のカバーのアンテナ全体を覆う閉位置からの移動量が算出される。遮蔽機構のカバーの前記閉位置からの移動量が大きいほどカバーによるデータ蓄積伝送装置のアンテナの遮蔽範囲が少なくなり、逆に、前記カバーの前記閉位置からの移動量が小さいほどカバーによるデータ蓄積伝送装置のアンテナの遮蔽範囲が大きくなる。このため、本発明のように、遮蔽機構制御部にて前記カバーの前記閉位置からの移動量を算出し、遮蔽機構のカバー移動装置によって前記算出された移動量の位置にカバーを配置する構成であれば、遮蔽機構制御部にて算出されるカバー移動量によって、結果的に、データ蓄積伝送装置からデータロガへの電波出力が決まることになる。いわば、トリガー信号受信器にて受信した前記データ出力指令の受信強度に応じて、前記カバーの前記閉位置からの移動量によって、データ蓄積伝送装置からデータロガへ蓄積データを送信するための電波出力を調整できる構成になっている。
【００２０】
このため、例えば、データ蓄積伝送装置の遮蔽機構制御部を、データ蓄積伝送装置からデータロガへ蓄積データを送信するための電波出力が、データロガへのデータ伝送を確実に行える範囲で低いレベルとなる（必要以上に高くならないようにする）ように前記カバーの前記閉位置からの移動量を決定する構成とすれば、このデータ蓄積伝送装置から蓄積データをデータロガへ送信するための電波信号が他の無線伝送系に影響を与えることを抑えることができる。
【発明の効果】
【００２１】
本発明によれば、データ蓄積伝送装置は、遮蔽機構と、この遮蔽機構のカバー移動機構の駆動を制御する遮蔽機構制御部とによって、データ蓄積伝送装置からデータロガへ制御ユニットの蓄積データを送信するための電波出力を調整できる構成になっている。このため、制御ユニットとして、アンテナからの電波出力のパワーコントロール機能を有していない構成のものも採用可能である。この場合でも、遮蔽機構と遮蔽機構制御部とによって、データロガへ制御ユニットの蓄積データを送信するための電波出力の調整を実現できる。
したがって、本発明に係るデータ蓄積伝送装置は、例えば、既存のパワー調整無し伝送ユニットに、遮蔽機構と遮蔽機構制御部とを設けて組み立てるといったことも可能である。これによりデータロガへ蓄積データを送信するための電波出力の調整を容易に実現できる。しかも、この際、パワー調整無し伝送ユニットの制御ユニットの構成を大きく改変する必要が無い。
【図面の簡単な説明】
【００２２】
【図１】本発明の１実施形態のデータ蓄積伝送装置、データロガ、データ伝送システムを示す全体図である。
【図２】図１のデータ蓄積伝送装置、データロガ、データ伝送システムの構成を示すブロック図である。
【図３】図１のデータ蓄積伝送装置のカバーの一例を示す図であって、天板部とは反対の側から見た構造を示す斜視図である。
【図４】データ蓄積伝送装置の別態様を説明する図である。
【図５】データロガの別態様を示す図である。
【図６】従来例のデータ蓄積伝送ユニット、データ伝送システムを説明する図である。
【発明を実施するための形態】
【００２３】
以下、本発明の１実施形態について図面を参照して説明する。
図１は、本発明に係るデータ蓄積伝送装置１０、データロガ２０、データ伝送システムを示す図である。
【００２４】
図１に示すデータ伝送システムは、データ蓄積伝送装置１０とデータロガ２０とを具備して構成されている。
データ蓄積伝送装置１０は、例えば、建物の構成部材（壁、柱、天井等）や、地盤に立設した支持材（例えば、支柱や支持台）等に固定して設けられる。
【００２５】
前記データ蓄積伝送装置１０は、データ入力用のデータ入力部１１ａ及び該データ入力部１１ａから入力されたデータを蓄積するデータ蓄積部１１ｂを有する制御ユニット１１と、この制御ユニット１１（詳細には前記データ蓄積部１１ｂ）に蓄積されたデータをデータロガ２０に無線送信（電波送信）するためのアンテナ１２と、このアンテナ１２を覆うための電波遮蔽性のカバー１４及び該カバー１４を移動して開閉させるカバー移動装置１５を有する遮蔽機構１３と、この遮蔽機構１３の前記カバー移動装置１５の駆動を制御する遮蔽機構制御部１６と、前記データロガ２０から無線送信されたデータ出力指令を受信するためのトリガー信号受信器１７とを具備している。そして、このデータ蓄積伝送装置１０は、前記データロガ２０から無線送信されたデータ出力指令を受信することで、データ蓄積部１１ｂに蓄積されているデータをデータロガ２０に無線送信するようになっている。
【００２６】
図２に示すように、前記制御ユニット１１は、前記データ入力部１１ａと、前記データ蓄積部１１ｂと、アンテナ１２による電波信号の送受信制御用の送受信部１１ｃと、前記データ蓄積部１１ｂ及び前記送受信部１１ｃの駆動を制御する指令出力部１１ｄ（ＣＰＵ：中央演算処理装置）と、前記遮蔽機構制御部１６との接続用の接続端子１１ｅとを具備している。
【００２７】
制御ユニット１１とアンテナ１２とは、データ入力部１１ａから入力されてデータ蓄積部１１ｂに蓄積されたデータをデータロガ２０に無線送信（電波送信）するためのデータ蓄積伝送ユニット１８を構成している。
制御ユニット１１、データ蓄積伝送ユニット１８は、ここでは、データロガからのデータ出力指令（電波信号）のデータ蓄積伝送装置１０での受信強度に応じてアンテナからの電波出力を調整する機能（既述のパワーコントロール機能）を有していないものである。
【００２８】
データ入力部１１ａには、データ取得用機器３０が接続されている。制御ユニット１１にはデータ取得用機器３０が取得したデータがデータ入力部１１ａから入力され、データ蓄積部１１ｂに蓄積される。
データ取得用機器３０としては、例えばＰＣＯ用データ取得機器であるが、この他、例えば入室者認証装置（認証情報（データ）を制御ユニット１１に入力）、建物への不審者侵入や防災用の各種監視装置（定点観察用の監視カメラやセンシング装置等）、工場における各種設備の稼働管理用センサ（計器）といった、センサやカメラ等である定点設置形の機器、磁気ディスク、光ディスク、ＩＣメモリ等の記録媒体の読み取り装置、パソコンや携帯形通信機器等の情報機器（情報端末用機器）なども採用可能である。カメラとしては、画像データ（静止画情報）を取得するものに限定されず、動画データを取得するものであっても良い。
【００２９】
図２に示すように、遮蔽機構制御部１６は、制御部本体１６１（ＣＰＵ：中央演算処理装置）と、トリガー信号受信器１７がデータ出力指令（トリガー信号）を受信したときに指令受信信号及びトリガー信号の受信強度を制御部本体１６１に出力するトリガー信号受信部１６２と、制御部本体１６１からの指令に基づいて遮蔽機構１３のカバー移動装置１５の駆動（具体的には後述の電動モータ１３ｃの駆動）を制御する駆動制御部１６３とを具備している。
【００３０】
図１に例示した遮蔽機構１３は、前記カバー１４に固定したラック１３ａに噛み合わせたピニオンギア１３ｂを電動モータ１３ｃで回転駆動することでカバー１４を移動してカバー１４の開閉動を行うようになっている。電動モータ１３ｃの駆動力はギア（図示略）等によって構成される駆動力伝達系を介してピニオンギア１３ｂに伝達される。遮蔽機構１３は、ラック１３ａとピニオンギア１３ｂと電動モータ１３ｃと駆動力伝達系がカバー移動装置１５を構成している。
この遮蔽機構１３によるカバー１４の移動は、遮蔽機構制御部１６が電動モータ１３ｃの駆動を制御することによりなされる。
なお、カバー移動装置１５において、ピニオンギア１３ｂは電動モータ１３ｃの駆動軸に直接固定して設けても良い。
【００３１】
なお、遮蔽機構１３としては、図示例の構成に限定されず、例えば、電動モータによってボールねじが回転駆動されることでこのボールねじに沿って移動される移動ステージにカバー１４を取り付けた構成等も採用できる。この場合は、電動モータとボールねじと移動ステージとがカバー移動装置として機能する。
【００３２】
カバー１４は、データ蓄積伝送ユニット１８のアンテナ１２とデータロガ２０のアンテナ２３との間の電波通信を行うときのみ開放する。すなわち、データ蓄積伝送ユニット１８とデータロガ２０との間の電波通信を行わないときには、カバー１４はアンテナ１２全体を覆う閉位置（初期位置）にある。
【００３３】
図３にカバー１４の一例を示す。このカバー１４は、四角板状の天板部１４ａの外周の４辺の内の３辺に側壁部１４ｂが突設され、この側壁部１４ｂで囲まれる内側にアンテナ１２を収納するための空間１４ｃ（以下、アンテナ収納空間とも言う）が確保された構成になっている。側壁部１４ｂは、互いに平行な一対の側板部１４ｂ１、１４ｂ２と、これら側板部１４ｂ１、１４ｂ２に垂直に設けられた端板部１４ｂ３とで構成されている。
【００３４】
アンテナ１２は、制御ユニット１１の筐体の一部である電波遮蔽性のアンテナ用ベースプレート１２ａから制御ユニット１１の外側に突出されている。前記カバー１４のアンテナ収納空間１４ｃを介して前記端板部１４ｂ３とは反対の側は、前記側壁部１４ｂは設けられておらず開口されており、アンテナ１２を収納できる大きさに開口された開口部とされている。
【００３５】
図１に示すように、カバー１４は、一対の側板部１４ｂ１、１４ｂ２の前記端板部１４ｂ３とは反対側の端部１４ｄ（図３参照。以下、開口部側端部とも言う）が前記アンテナ用ベースプレート１２ａ側、前記端板部１４ｂ３が前記アンテナ用ベースプレート１２ａとは反対の側となる向き（図１参照）で設けられており、アンテナ用ベースプレート１２ａのアンテナ１２が突出されている面（アンテナ突出面１２ｂ）に垂直の仮想直線に沿って移動され、アンテナ用ベースプレート１２ａに対して開閉される。カバー１４をアンテナ用ベースプレート１２ａに対して閉じたときの位置がカバー１４の閉位置である。
カバー１４が閉位置にあるとき、アンテナ用ベースプレート１２ａとカバー１４とによって電波遮蔽性のケース状のアンテナ収納体が構成され、このアンテナ収納体内にアンテナ１２が収納される。
【００３６】
カバー１４が閉位置にあるとき、カバー１４は、その開口部側端部１４ｄが前記アンテナ用ベースプレート１２ａに当接するか、あるいは、アンテナ用ベースプレート１２ａとの間に微小な隙間を介して接近配置される。
なお、カバー１４は、閉位置にあるとき、アンテナ１２を落下物の接触等から保護する機能も果たす。
【００３７】
遮蔽機構１３のカバー移動装置１５は、カバー１４を前記仮想直線上にて移動して、アンテナ用ベースプレート１２ａに対して開閉動させる。これによりカバー１４がアンテナ１２に対して開閉動される。アンテナ用ベースプレート１２ａとカバー１４とで構成されるアンテナ収納体が開閉される。
【００３８】
前記カバー１４、ベースプレート１２ａとしては、電波遮蔽材料として機能する周知の材料で形成したもので良く、例えば、導電性金属、磁性体粉末焼成材等を採用できる。
【００３９】
前記カバー１４としては、アンテナ１２を収納可能、かつ、カバー移動装置１５によって移動されることでアンテナ用ベースプレート１２ａからの距離の変動に伴いアンテナ１２を覆う範囲（遮蔽量）が増減する構成であれば良く、図３に例示した形状のものに限定されない。
また、カバーとしては、単純な板状のものであっても良い。カバーとしては、例えば、アンテナ１２の両側に設けられた電波遮蔽壁上をカバー移動装置１５によってスライド移動されるようにした構成であっても良く、この場合はカバーとして単純な板状のもの等を採用することも可能である。
【００４０】
アンテナ１２としては、制御ユニット１１の筐体に沿って延在する細長形状に形成されたものであっても良く、この場合は、制御機構としては、カバーをカバー移動装置によって制御ユニット１１の筐体に沿ってアンテナ１２の長手方向に一致する方向に移動させる構成とする。
【００４１】
図１に示すように、データロガ２０は、データ蓄積伝送装置１０に前記データ出力信号を無線送信するためのトリガー信号送信器２１と、このトリガー信号送信器２１からデータ蓄積伝送装置１０へのデータ出力指令の出力操作用の操作部２２と、データ蓄積伝送装置１０との電波信号の送受信用のアンテナ２３とを具備している。このデータロガ２０は、該データロガ２０の使用者が携帯して持ち運ぶことができる可搬性のものである。
【００４２】
また、図２に示すように、このデータロガ２０は、制御部２０ａ（ＣＰＵ：中央演算処理装置）と、このデータロガ２０の使用者が操作部２２を操作することにより操作部２２から制御部２０ａに指令出力信号が入力されることで制御部２０ａから出力される指令に基づいてトリガー信号送信器２１からトリガー信号を出力させるトリガー信号送信部２０ｂと、前記アンテナ２３による電波信号の送受信制御用の送受信部２０ｃと、データ蓄積伝送装置１０との無線通信によって制御ユニット１１から取り込んだデータを蓄積するためのデータ蓄積部２０ｄとを内蔵している。
【００４３】
操作部２０ａとしては、例えば、使用者が操作する操作部材として手指で押下操作するボタンを具備し、このボタンが押下操作されたときに、制御部２０ａに指令出力信号を出力するものである。この他、操作部材として、例えば使用者が手指で回転操作するダイヤル等も採用可能である。
【００４４】
データロガ２０のトリガー信号送信器２１と、データ蓄積伝送装置１０のトリガー信号受信器１７との間の無線通信は、電波による通信の他、例えば、赤外線（赤外光）等の光を利用した通信や、超音波を利用した通信等も採用可能である。
データ蓄積伝送装置１０と同一エリア内に存在する他の無線伝送系との輻輳を避ける点では、電波以外の光や超音波による通信方式を採用する方が有利である。光による通信の場合は、光信号を出力するトリガー信号送信器２１と、光信号を受信するトリガー信号受信器１７との組み合わせ、超音波による通信の場合は、超音波信号を出力するトリガー信号送信器２１と、超音波信号を受信するトリガー信号受信器１７との組み合わせ、で使用することとなる。
【００４５】
電波による通信の場合、データロガ２０のトリガー信号送信器２１は電波信号の出力用アンテナ、データ蓄積伝送装置１０のトリガー信号受信器１７は電波信号の受信用アンテナである。
データ蓄積伝送装置１０とデータロガ２０との間の無線通信が他の無線伝送系の障害になるといった不都合を抑制する点で、データロガ２０のトリガー信号送信器２１から出力する電波信号（データ出力指令）の出力は必要以上に強くならない範囲で低く設定することが好ましい。例えば、屋内設置形のデータ蓄積伝送装置１０からデータを取得するデータロガ２０の場合、データ出力指令を送信するための電波出力は、データ蓄積伝送装置１０からの距離が２０ｍ程度で、データ蓄積伝送装置１０で確実に受信できる強さの範囲で低く設定すれば足りる。
また、データ蓄積装置１０からの蓄積データの送信のための電波出力は、データ伝送の確実性を担保する必要から、データロガ２０が出力するデータ出力指令の電波出力よりも高く設定される。データロガ２０が出力するデータ出力指令の電波出力は、データ蓄積装置１０から蓄積データを送信するための電波出力よりも低く設定される。
【００４６】
前記遮蔽機構制御部１６は、制御ユニット１１の接続端子１１ｅに接続できる接続端子１６ａを具備しており、制御ユニット１１に対して簡単に後付けできる。遮蔽機構制御部１６は、接続端子１６ａを制御ユニット１１の接続端子１１ｅに接続して制御ユニット１１に設けられており、接続端子１１ｅ、１６ａ同士の接続により遮蔽機構制御部１６と制御ユニット１１との間の信号伝送（制御ユニット１１から遮蔽機構制御部１６への伝送、及び、遮蔽機構制御部１６から制御ユニット１１への伝送）が可能となっている。より詳しくは、制御ユニット１１の指令出力部１１ｄと遮蔽機構制御部１６の制御部本体１６１とが、互いに接続された接続端子１１ｅ、１６ａを介して、相互に信号伝送可能に接続される。
【００４７】
これにより、例えば、トリガー信号受信器１７がデータ出力指令（トリガー信号）を受信したときにトリガー信号受信部１６２が受信した指令受信信号を、互いに接続された接続端子１１ｅ、１６ａを介して遮蔽機構制御部１６から制御ユニット１１に伝送するといったことが可能である。
また、このデータ蓄積伝送装置１０では、データロガ２０から電波送信された受信強度計測データ（後述）がアンテナ１２にて受信されたときに制御ユニット１１の送受信部１１ｃから受信強度計測データに対応して出力される受信強度データ信号を互いに接続された接続端子１１ｅ、１６ａを介して遮蔽機構制御部１６へ伝送することができる。
【００４８】
図示例のデータ蓄積伝送装置１０のトリガー信号受信器１７は、前記遮蔽機構制御部１６に設けられている。データ蓄積伝送装置１０では、データロガ２０から出力されたデータ出力指令がトリガー信号受信器１７にて受信されたときに、遮蔽機構制御部１６のトリガー信号受信部１６２が、指令受信信号及びデータ出力指令（トリガー信号）の受信強度を出力し、制御部本体１６１に入力する。
【００４９】
上述のように、トリガー信号受信器１７が遮蔽機構制御部１６に設けられている構成であれば、遮蔽機構制御部１６の接続端子１６ａを制御ユニット１１の接続端子１１ｅに接続して制御ユニット１１に遮蔽機構制御部１６を接続するだけで、制御ユニット１１の構成を変更すること無く、簡単に、データ蓄積伝送装置１０にトリガー信号受信器１７を設けることができるといった利点がある。
【００５０】
このデータ伝送システムにおいて、データ蓄積伝送装置１０の制御ユニット１１（詳細にはデータ蓄積部１１ｂ）の蓄積データを制御ユニット１１からデータロガ２０に取り込むには、データロガ２０からデータ蓄積伝送装置１０にデータ出力指令（電波信号）を送信する。このデータ出力指令は、データロガ２０のトリガー信号送信器２１から出力される。
データロガ２０は、該データロガ２０の使用者が操作部２２を操作すると操作部２２から出力された指令出力信号が制御部２０ａに入力される。制御部２０ａは指令出力信号の入力により、トリガー信号送信部２０ｂに駆動指令を出力し、この駆動指令に基づいてトリガー信号送信部２０ｂが駆動してトリガー信号送信器２１からデータ出力指令を送信させる。
【００５１】
データ蓄積伝送装置１０は、このデータ出力指令をトリガー信号受信器１７にて受信すると、まず、遮蔽機構制御部１６による遮蔽機構１３のカバー移動装置１５の制御で、カバー１４を閉位置から離隔する方向に移動させる。次いで、データ蓄積部１１ｂに蓄積されているデータをアンテナ１２からデータロガ２０に無線送信する。
【００５２】
ここで遮蔽機構制御部１６は、前記トリガー信号受信器１７にて受信した前記データ出力指令の受信強度に応じて、前記データロガ２０での前記蓄積データの受信強度が予め設定しておいた範囲内あるいは設定値となるように、前記遮蔽機構１３の前記カバー１４の前記アンテナ１２全体を覆う閉位置からの移動量を演算して決定する。
より具体的には、カバー１４移動量は、遮蔽機構制御部１６の制御部本体１６１が、トリガー信号受信部１６２から該制御部本体１６１に入力された指令受信信号及びデータ出力指令の受信強度に基づいて、予め該制御部本体１６１に設定しておいたプログラムに基づいて演算して決定する。
そして遮蔽機構制御部１６は、カバー１４の移動量の決定の後、制御部本体１６１が駆動制御部１６３に駆動指令を出力して駆動制御部１６３を駆動させ、前記遮蔽機構１３の前記カバー移動装置１５によるカバー１４の移動（閉位置からの移動）を開始する。
【００５３】
遮蔽機構制御部１６は、前記カバー１４の位置が制御部本体１６１にて決定された前記移動量となるように前記遮蔽機構１３の前記カバー移動装置１５の駆動を制御する。
カバー１４の移動量は、例えば、電動モータ１３ｃあるいはピニオンギア１３ｂあるいは電動モータ１３ｃからピニオンギア１３ｂまでの駆動力伝達系に設けたロータリーエンコーダ等のセンサや、レーザ光等を用いてカバー１４の位置を検出する測距センサ等であるカバー位置検出器１３ｄ（図２参照）によって検出して遮蔽機構制御部１６での制御に用いる。カバー位置検出器１３ｄは、遮蔽機構制御部１６の制御部本体１６１が演算して決定した位置にカバー１４が到達した際にカバー移動完了信号を出力し、制御部本体１６１に入力する。制御部本体１６１は、カバー位置検出器１３ｄからカバー移動完了信号が入力されることで、駆動制御部１６３に駆動停止指令を出力し、カバー移動装置１５によるカバー１４の移動を停止させる。これにより、遮蔽機構制御部１６の制御部本体１６１が決定した移動量に対応する位置にカバー１４が配置される。
【００５４】
カバー位置検出器１３ｄから出力されたカバー移動完了信号は、遮蔽機構制御部１６の制御部本体１６１を介して制御ユニット１１の指令出力部１１ｄにも入力され、カバー移動完了信号を受信した指令出力部１１ｄが送受信部１１ｃに駆動指令を出力する。これにより送受信部１１ｃが駆動してアンテナ１２からデータ蓄積部１１ｂの蓄積データをデータロガ２０へ電波送信する。
つまり、このデータ蓄積伝送装置１０では、データ蓄積部１１ｂの蓄積データはアンテナ１２からデータロガ２０への電波による無線送信が、前記カバー移動装置１５によって閉位置から移動されたカバー１４が遮蔽機構制御部１６の制御部本体１６１が決定した移動量に達した後に、制御ユニット１１の制御によって実行される。
【００５５】
なお、データ蓄積伝送装置１０は、指令受信信号が制御部本体１６１を介して制御ユニット１１の指令出力部１１ｄにも入力されるようにして、指令出力部１１ｄへの指令受信信号の入力によって指令出力部１１ｄがデータ蓄積部１１ｂの蓄積データの送信準備を開始する構成としても良い。この構成であれば、指令出力部１１ｄに指令受信信号が入力された後、指令出力部１１ｄに遮蔽機構制御部１６の制御部本体１６１を介してカバー移動完了信号が入力されるまでに、データ蓄積部１１ｂの蓄積データをアンテナ１２から電波送信するためのデータ処理を進めることができる。このため、指令出力部１１ｄに遮蔽機構制御部１６の制御部本体１６１を介してカバー移動完了信号が入力されてからアンテナ１２からの蓄積データの送信開始までの時間を短縮できる。指令出力部１１ｄにカバー移動完了信号が入力されてからデータ蓄積部１１ｂの蓄積データの電波送信のための処理を開始する場合に比べて、指令出力部１１ｄにカバー移動完了信号が入力されてからアンテナ１２からの蓄積データの送信開始までに要する時間を短縮できる。データ蓄積部１１ｂに蓄積されたデータ量が多く、アンテナ１２からの電波送信のためのデータ処理に時間を要する場合は特に有利である。
【００５６】
データロガ２０は、データ蓄積伝送装置１０のアンテナ１２から電波送信された蓄積データをアンテナ２３にて受信したとき、送信電波の該データロガ２０（詳細にはアンテナ２３）での受信強度を計測し、この計測結果（受信強度計測データ）をアンテナ２３からデータ蓄積伝送装置１０へ電波送信する機能を具備する。
【００５７】
この機能について図２を参照し説明する。
データロガ２０は、データ蓄積伝送装置１０のアンテナ１２から電波送信された蓄積データをアンテナ２３にて受信し、受信した蓄積データを送受信部２０ｃから制御部２０ａを介してデータ蓄積部２０ｄに転送し、データ蓄積部２０ｄに蓄積する。
また、送受信部２０ｃは、送受信部２０ｃがデータ蓄積伝送装置１０のアンテナ１２からの蓄積データの送信電波の受信強度を計測する。計測した受信強度のデータを、以下、受信強度計測データとも言う。送受信部２０ｃからデータ信号が入力された制御部２０ａは、送受信部２０ｃに、受信強度計測データのデータ蓄積伝送装置１０への送信指令を出力する。送受信部２０ｃは、制御部２０ａから入力された送信指令に基づいて受信強度計測データをアンテナ２３からデータ蓄積伝送装置１０へ電波送信する。
【００５８】
データ蓄積伝送装置１０では、データロガ２０から電波送信されアンテナ１２にて受信された受信強度計測データは、送受信部１１ｃから指令出力部１１ｄを介して遮蔽機構制御部１６（具体的には制御部本体１６１）に伝送される。そして、遮蔽機構制御部１６の制御部本体１６１が、前記データロガ２０での受信強度（受信強度計測データ）が予め設定しておいた範囲（受信強度の範囲。以下、設定強度範囲とも言う）内にあるかどうかを判定する。この判定の結果、前記データロガ２０での受信強度（受信強度計測データ）が設定強度範囲内にないとき、制御部本体１６１は、前記受信強度計測データに応じて、データ蓄積伝送装置１０から電波送信した前記蓄積データのデータロガ２０での受信強度が前記設定強度範囲内となるように、前記遮蔽機構１３の前記カバー１４の前記閉位置からの移動量を予め設定しておいたプログラムに基づいて演算して決定する。そして、遮蔽機構制御部１６の制御部本体１６１は、駆動制御部１６３に駆動指令を出力して、前記カバー１４の位置が演算によって決定した前記移動量となるように前記遮蔽機構１３の前記カバー移動装置１５を駆動させる。これによりカバー１４の位置が調整され、その結果、データ蓄積伝送装置１０からデータ蓄積部１１ｂ内の蓄積データを送信する電波出力レベルが調整される。
【００５９】
データロガ２０からデータ蓄積伝送装置１０へ電波送信される受信強度計測データは、データ蓄積伝送装置１０の遮蔽機構制御部１６に対して、受信強度計測データと設定強度範囲との対比判定を要求する受信強度判定指令（出力調整信号）として機能する。
この受信強度判定指令のデータロガ２０からデータ蓄積伝送装置１０への電波送信は、例えば、データ蓄積伝送装置１０からデータロガ２０への前記データ蓄積部内の蓄積データの電波送信を複数に分割して断続的に実施するようにし、蓄積データを分割送信するために発生するデータ送信中断時間にデータロガ２０のアンテナ２３から送信を実行するようにする。また、受信強度判定指令をデータロガ２０からデータ蓄積伝送装置１０に電波送信するための送信方式は、これに限定されず、周知の各種電波送受信方式を応用して適用することが可能である。
【００６０】
データロガ２０からデータ蓄積伝送装置１０への受信強度計測データの送信、及び、この受信強度計測データに基づく遮蔽機構制御部１６のカバー移動装置１５の制御によるカバー１４の位置調整、これによるデータ蓄積伝送装置１０からの電波出力レベルの調整は、データ蓄積伝送装置１０からデータロガ２０への蓄積データの送信中に継続的になされる。その結果、データ蓄積伝送装置１０からの蓄積データの送信電波のデータロガ２０での受信強度の安定化が図られる。
【００６１】
遮蔽機構制御部１６での判定の結果、前記データロガ２０での受信強度（受信強度計測データ）が予め設定しておいた範囲（受信強度の範囲）内にあるときは、カバー１４の位置調整は不要である。
【００６２】
なお、データロガ２０は、データ蓄積伝送装置１０からの出力電波の受信強度の計測、及び、この計測値（受信強度計測データ）の電波送信を、データロガ２０からデータ蓄積伝送装置１０へのデータ出力指令の送信後に自動的に行なう構成の他、これに限定されず、例えば、遮蔽機構制御部１６の制御によってデータ蓄積伝送装置１０のアンテナ１２から電波送信する受信強度計測送信指令（出力調整用信号）を受信することで行う構成としても良い。
後者の場合、データ蓄積伝送装置１０からデータロガ２０へ送信する受信強度計測送信指令は、データロガ２０に対してデータ蓄積伝送装置１０からの出力電波の受信強度の計測及び計測値の電波送信を要求するための要求信号である。この受信強度計測送信指令は、蓄積データの送信電波とは別に送信する電波信号であっても良いが、例えば蓄積データの送信電波自体を受信強度計測送信指令を含む電波信号としても良い。
【００６３】
データ蓄積伝送装置１０は、データロガ２０へのデータ蓄積部１１ｂの蓄積データの送信が完了したら、データ蓄積部１１ｂ内のデータは指令出力部１１ｄの駆動によって全て消去される。
【００６４】
上述のように、このデータ伝送システムにあっては、データ蓄積伝送装置１０からの蓄積データの送信電波のデータロガ２０での受信強度の安定化が図られるため、例えば、遮蔽機構制御部１６に設定する設定強度範囲を、データロガ２０にてデータ蓄積伝送装置１０から送信される蓄積データを確実に受信できる範囲で必要以上に強くならないように低い値とすることで、このデータ伝送システムと同一のエリアに存在する他の無線伝送系との輻輳を抑えることができる。
【００６５】
遮蔽機構制御部１６は、前記データロガ２０での受信強度（受信強度計測データ）が予め設定しておいた範囲（受信強度の範囲）内にあるかどうかを判定する構成にかえて、前記データロガ２０での受信強度（受信強度計測データ）を予め設定しておいた設定値と比較して、データロガ２０での受信強度（受信強度計測データ）と設定値との差に応じて、差が解消されるように、カバー移動装置１５の駆動制御によってカバー１４の位置を調整する構成としても良い。この場合、データ蓄積伝送装置１０からの蓄積データの送信電波のデータロガ２０での受信強度の安定化をより精密に実現することができる。
【００６６】
データ蓄積伝送装置１０は、前記制御ユニット１１のデータ蓄積部１１ｂの蓄積データのデータロガ２０への無線伝送（送信）の完了後に、前記遮蔽機構１３が前記前記遮蔽機構制御部１６からの制御によって、前記カバー１４を前記閉位置に位置させる。アンテナ１２からの電波の出力も停止する。
データロガ２０は、データ蓄積伝送装置１０から送信される送信完了信号の受信によって、データ蓄積伝送装置１０からの蓄積データの送信電波のデータロガ２０での受信強度の計測、及び、受信強度計測データ（受信強度判定指令）のデータ蓄積伝送装置１０への送信を停止する。
【００６７】
本発明によれば、遮蔽機構１３のカバー１４の位置（閉位置からの移動量）の変更によって、データ蓄積伝送装置１０からデータロガ２０へ制御ユニット１１の蓄積データを送信するための電波出力を調整できる構成になっているため、制御ユニットとして、アンテナからの電波出力のパワーコントロール機能を有していない構成のものも採用可能であり、アンテナからの電波出力のパワーコントロール機能を有していない構成の制御ユニットを採用した場合でも、遮蔽機構と遮蔽機構制御部とによって、データロガへ制御ユニットの蓄積データを送信するための電波出力の調整を実現できる。
【００６８】
したがって、本発明に係るデータ蓄積伝送装置１０は、パワーコントロール機能を有していない制御ユニットを具備する既存のデータ蓄積伝送ユニット（既述のパワー調整無し伝送ユニット）に、遮蔽機構１３と遮蔽機構制御部１６とを設けて組み立てるといったことも可能である。この際、パワー調整無し伝送ユニットの制御ユニットの構成を改変することなく、データ蓄積伝送装置１０を組み立てることができる。
遮蔽機構１３と遮蔽機構制御部１６とは、本発明に係る電波出力調整ユニットを構成する。
【００６９】
ところで、パワー調整無し伝送ユニット（遮蔽機構１３、遮蔽機構制御部１６を具備していない）にＰＣＯ用データ取得機器を接続してなるデータ取得蓄積装置（以下、ＰＣＯ用データ取得蓄積装置とも言う）については、制御ユニットの筐体等の外装材の材質としてＰＣＯ用データ取得機器にて検出する対象の生物（昆虫あるいは動物）の生態に出来るだけ影響を与えないものを選定したり、必要に応じて前記生物が忌避する成分を含有する外装材の採用や、外装材への忌避成分の塗布等の追加処理を施すなど、検出対象の生物の生態、検出目的等に応じた仕様や追加処理を採るケースがある。
また、既述の通り、ＰＣＯ用データ取得機器はＰＣＯによる防除用薬剤の使用量、使用時期、使用場所の決定のためのデータ（以下、ＰＣＯ用データ）の取得に用いられるものであり、設定したデータ取得期間の経過後に設置場所から撤去する使用形態が多い。ＰＣＯ用データ取得機器を撤去する際には、ＰＣＯ用データ取得蓄積装置のデータ蓄積伝送ユニット（パワー調整無し伝送ユニット）も撤去されることとなる。そして、生物の種類等に応じて、適切な仕様や追加処理を行ったＰＣＯ用データ取得機器やデータ蓄積伝送ユニットを繰り返し使用したいという要求がある。
【００７０】
撤去後のＰＣＯ用データ取得機器及びデータ蓄積伝送ユニット（パワー調整無し伝送ユニット）はデータの取得に繰り返し使用できる。前記ＰＣＯ用データ取得蓄積装置のデータ蓄積伝送ユニットが検出対象の生物の生態、検出目的等に応じた仕様や追加処理を施したものである場合は、このデータ蓄積伝送ユニットに電波出力調整ユニット、つまり遮蔽機構１３と遮蔽機構制御部１６とを設けてデータ蓄積伝送装置１０を組み立てることで、組み立てたデータ蓄積伝送装置１０においてもデータ蓄積伝送ユニットの仕様や追加処理をそのまま活かすことが可能である。
特に、既設のＰＣＯ用データ取得蓄積装置のデータ蓄積伝送ユニットに遮蔽機構１３と遮蔽機構制御部１６とを設けてデータ蓄積伝送装置１０を組み立てる場合は、ＰＣＯ用データ取得蓄積装置のデータ蓄積伝送ユニットをそのままデータ蓄積伝送装置１０のデータ蓄積伝送ユニット１８として利用することで、検出対象の生物の生態に与える影響を小さくするといったことも可能である。
【００７１】
なお、本発明に係るデータ蓄積伝送装置１０は、ＰＣＯ用データ取得機器と接続し目的の設置場所に設置して使用する場合、設定したデータ取得期間の経過後にＰＣＯ用データ取得機器を撤去する際に一緒に撤去した後、再使用可能である。
【００７２】
図１では、本発明に係るデータ蓄積伝送装置として、遮蔽機構制御部１６を接続端子１１ｅ、１６ａ同士の接続によって制御ユニット１１に外付けできる構成を例示したが、本発明に係るデータ蓄積伝送装置としては、例えば図４に示すように、制御ユニット１１の外装用の筐体１１ｆ内に、遮蔽機構制御部１６を収納した構成としても良い。この場合、遮蔽機構制御部１６は、筐体１１ｆ内にて、コネクタあるいは信号線を介して制御ユニット１１の送受信部１１ｃ、指令出力部１１ｄと電気的に接続し、これら送受信部１１ｃ、指令出力部１１ｄとの間の信号伝送を行えるようにする。
【００７３】
なお、本発明は上述の実施形態に限定されず適宜変更が可能である。
本発明に係るデータ伝送システムは、データ蓄積伝送装置１０からデータロガ２０への蓄積データの送信中に、データ蓄積伝送装置１０とデータロガ２０との間での出力調整用信号（電波）の相互送受信によって、データ蓄積伝送装置１０からの電波出力の調整を継続的に行うための構成を具備していないものも含む。
【００７４】
上述の実施形態では、アンテナ１２を制御ユニット１１に取り付けた構成のデータ蓄積伝送ユニット１８を具備するデータ蓄積伝送装置１０を例示したが、本発明に係るデータ蓄積伝送装置としてはこれに限定されず、アンテナ１２及びアンテナ用ベースプレートを制御ユニット１１から離隔させて設けた構成も採用可能である。但し、この場合、アンテナ１２はケーブルを用いて制御ユニット１１（詳細には送受信部１１ｃ）と電気的に接続し、制御ユニット１１によって駆動が制御されるようにする。
【００７５】
また、上述の実施形態では、トリガー信号受信器１７が遮蔽機構制御部１６に取り付けられて遮蔽機構制御部１６に一体的に設けられた構成のデータ蓄積伝送装置１０を例示したが、本発明に係るデータ蓄積伝送装置において、トリガー信号受信器１７はデータロガ２０から受信したデータ出力指令を遮蔽機構制御部１６及び制御ユニット１１に入力できる構成であれば良く、トリガー信号受信器１７の設置位置は上述の実施形態に限定されない。トリガー信号受信器１７は、制御ユニット１１の筐体に取り付けたり、遮蔽機構制御部１６及び制御ユニット１１から離隔させて設けても良い。トリガー信号受信器１７を遮蔽機構制御部１６及び制御ユニット１１から離隔させて設ける場合は、信号伝送用のケーブルを用いてトリガー信号受信器１７を遮蔽機構制御部１６あるいは制御ユニット１１と電気的に接続する。
【００７６】
図１、図２では、データロガとして、トリガー信号送信部２１、操作部２２、アンテナ２３がひとつの筐体に設けられた構成のデータロガを例示したが、データロガとしては、例えば図５に示すように、アンテナ２３、制御部２０ａ、送受信部２０ｃ、データ蓄積部２０ｄを具備するデータロガ本体２０Ａと、このデータロガ本体２０Ａとは別体に構成されたトリガー信号出力送信機２０Ｂとを具備する構成であっても良い。データロガ本体２０Ａ及びトリガー信号出力送信機２０Ｂは、いずれも、データロガ本体２０Ａの使用者が携帯して持ち運ぶことができる可搬性のものである。
トリガー信号出力送信機２０Ｂは、前記トリガー信号送信器２１と、該トリガー信号送信器２１の駆動を制御してこのトリガー信号送信器２１からデータ出力指令を出力させるためのトリガー信号送信部２０ｂと、このトリガー信号送信部２０ｂの駆動を制御する制御部２０ｅ（ＣＰＵ：中央演算処理装置）と、トリガー信号送信器２１からデータ出力指令を出力させるための指令出力信号の入力用の操作部２２とを具備する。操作部２２から出力された指令出力信号が制御部２０ｅに入力されると、制御部２０ｅによってトリガー信号送信部２０ｂが駆動され、トリガー信号送信器２１からデータ出力指令を出力させることができる。
なお、データロガ本体２０Ａとしては、データ蓄積伝送装置１０からの蓄積データの取得のための専用の受信機であっても良いが、例えば、携帯型電話機を使用することも可能である。
【符号の説明】
【００７７】
１０…データ蓄積伝送装置，１１…制御ユニット、１１ａ…データ入力部、１１ｂ…データ蓄積部、１１ｃ…送受信部、１１ｄ…指令出力部、１１ｅ…接続端子、１１ｆ…筐体、１２…アンテナ、１２ａ…アンテナ用ベースプレート、１３…遮蔽機構、１３ａ…ラック、１３ｂ…ピニオンギア、１３ｃ…電動モータ、１４…カバー、１４ａ…天板部、１４ｂ…側壁部、１４ｂ１、１４ｂ２…側板部、１４ｃ…空間、１４ｄ…開口部側端部、１５…カバー移動機構、１６…遮蔽機構制御部、１６ａ…接続端子、１７…トリガー信号受信器、１８…データ蓄積伝送ユニット、２０…データロガ、２０Ａ…データロガ本体、２０Ｂ…トリガー信号出力送信機、２０ａ…制御部、２０ｂ…トリガー信号送信部、２０ｃ…送受信部、２０ｄ…データ蓄積部、２０ｅ…制御部、２１…トリガー信号送信器、２２…操作部、２３…アンテナ、３０…データ取得用機器。
【図１】
2011087084.tif 000003
【図２】
2011087084.tif 000004
【図３】
2011087084.tif 000005
【図４】
2011087084.tif 000006
【図５】
2011087084.tif 000007
【図６】
2011087084.tif 000008